(57)【特許請求の範囲】
【請求項１】
前頭部、後頭部、天頂部、左側頭部および右側頭部の５つのセクションを有し、
該５つのセクションそれぞれが、人工毛髪または天然毛髪からなる第１の毛髪と、人工毛髪または天然毛髪からなる第２の毛髪とを有し、前記セクションそれぞれの該第１の毛髪および第２の毛髪の長さ、色、カール径、植設密度および太さから選択される少なくとも１つが他のセクションと異なり、
前記５つのセクションそれぞれが、第１のカール径を有する複数の前記第１の毛髪が植設されたかつらベースの第１領域と、前記第１のカール径よりも小さい第２のカール径を有する複数の第２の毛髪が植設された前記かつらベースの第２領域とが隣接して交互に配置された交互配置部を有することを特徴とするかつら。
【請求項２】
前記５つのセクションの前記第１のカール径および前記第２のカール径の少なくとも一方が互いに異なっていることを特徴とする請求項１に記載のかつら。
【請求項３】
上面視において、前記５つのセクションの境界が曲線であることを特徴とする請求項１または２に記載のかつら。
【請求項４】
前記前頭部、前記後頭部、前記左側頭部および前記右側頭部のそれぞれが、前記かつらベースの外周に沿って形成された前記第１領域を有することを特徴とする請求項１〜３のいずれか１項に記載のかつら。
【請求項５】
前記第１のカール径が２０ｍｍ〜８０ｍｍであることを特徴とする請求項１〜４のいずれか１項に記載のかつら。
【請求項６】
前記第２のカール径が前記第１のカール径の４０％〜７０％であることを特徴とする請求項１〜５のいずれか１項に記載のかつら。
【請求項７】
前記第２領域の幅と前記第１領域の幅との比が、１：１．５〜１：４であることを特徴とする請求項１〜６のいずれか１項に記載のかつら。
【請求項８】
前記第１領域は、前記第１の毛髪が１平方センチメートルあたり５０本〜９０本植設されていることを特徴とする請求項１〜７のいずれか１項に記載のかつら。
【請求項９】
前記第２領域は、前記第２の毛髪が１平方センチメートルあたり５０本〜９０本植設されていることを特徴とする請求項１〜８のいずれか１項に記載のかつら。
【発明の詳細な説明】
【技術分野】
【０００１】
本発明はかつらベースに人工毛髪または天然毛髪を植設したかつら、とりわけ前記人工毛髪または天然毛髪が所定のカールを有するかつらに関する。
【背景技術】
【０００２】
多くのかつらは、例えばウレタン等の合成樹脂製の人工皮膚よりなるかつらベースもしくは合成繊維等を網目状に編んで形成したネットより形成したかつらベース、または人工皮膚とネットとを組み合わせて形成したかつらベースに人工毛髪または人毛等の天然毛髪を植設することにより形成されている。
【０００３】
近年、同じ量の毛髪（人工毛髪または天然毛髪）を植設したかつらであっても、よりボリューム感のあるかつらが好まれる傾向にある。
【０００４】
このため、かつらベースに植設された毛髪が所定のカール径を有するようにカール付されている（すなわち、カール毛である）かつらが普及しつつある。
【０００５】
毛髪に付与するカールのカール径が比較的大きい方が、毛髪がより垂直に近い状態でかつらベースから立ち上がった後、カール径に応じてゆっくりと横方向に広がるため、ボリューム感を容易に奏することができる傾向にある。しかし、カール径が大きいとこの立ち上がり部分の長さが長くなるため、弱い風等の弱い外力により毛髪が容易に倒れてしまい、結果的に所望のボリューム感を得られない場合があるという問題があった。
【０００６】
一方、カール径が小さいと、かつらベースから垂直に近い状態で立ち上がっている部分の長さが短くなるため、毛髪が弱い外力により倒れてしまうことを効果的に防止できる。
しかし、カール径が小さいために所望のボリューム感を得ることが困難な場合が多いという問題があった。
【０００７】
そこで、引用文献１が開示するかつらでは、カール径の異なる毛髪を所定の比率で混合して植設することでボリューム感を向上させるかつらを開示している。
【先行技術文献】
【特許文献】
【０００８】
【特許文献１】特開２００６−１８３２１４号公報
【発明の概要】
【発明が解決しようとする課題】
【０００９】
引用文献１のかつらでは、カール径の異なる毛髪を混合して配置することにより、カール径の大きい毛髪の立ち上がり部（基端部）をカール径の小さい毛髪が支持することでカール径の大きい毛髪が倒れるのを防止している。
【００１０】
しかし、外観、触感及びスタイリング性の観点より、適用可能な毛髪の剛性の範囲が限られているので、カール径の小さい毛髪による支持が十分でないことから、カール径の大きい毛髪が倒れてしまい所望のボリューム感を得られない場合があるという問題があった。
【００１１】
そこで、本発明は、カール径の大きい毛髪が倒れるのをより確実に防止することにより、毛髪が所望のボリューム感をより確実に有するかつらを提供することを目的とする。
【課題を解決するための手段】
【００１２】
本願発明の態様１は、人工毛髪または天然毛髪からなり、第１のカール径を有する複数の第１の毛髪が植設されたかつらベースの第１領域と、人工毛髪または天然毛髪からなり、前記第１のカール径よりも小さい第２のカール径を有する複数の第２の毛髪が植設された前記かつらベースの第２領域と、を含み、前記第１領域と前記第２領域が隣接して交互に配置された交互配置部を有することを特徴とするかつらである。
【００１３】
本願発明の態様２は、前記交互配置部を複数有することを特徴とする態様１のかつらである。
【００１４】
本願発明の態様３は、前記かつらベースが複数のセクションに区分けされ、該複数のセクションの１つが前記交互配置部を有し、前記複数のセクションの他の１つが、人工毛髪または天然毛髪からなり、第１のカール径と異なる第３のカール径を有する複数の第３の毛髪が植設された第３領域と、人工毛髪または天然毛髪からなり、前記第３のカール径よりも小さい第４のカール径を有する複数の第４の毛髪が植設された第４領域とが、隣接して交互に配置された第２交互配置部を有することを特徴とする態様１または２に記載のかつらである。
【００１５】
本願発明の態様４は、前記かつらベースが複数のセクションに区分けされ、該複数のセクションの１つが前記交互配置部を有し、前記複数のセクションの他の１つが、前記第１領域と、人工毛髪または天然毛髪からなり、前記第１のカール径よりも小さく、かつ前記第２のカール径と異なる第５のカール径を有する複数の第５の毛髪が植設された第５領域とが、隣接して交互に配置された第３交互配置部を有することを特徴とする態様１または２に記載のかつらである。
【００１６】
本願発明の態様５は、前記かつらベースの外周に沿って、前記第１の領域が形成されていることを特徴とする態様１〜４のいずれかに記載のかつらである。
【００１７】
本願発明の態様６は、前記第１のカール径が２０ｍｍ〜８０ｍｍであることを特徴とする態様１〜５のいずれかに記載のかつらである。
【００１８】
本願発明の態様７は、前記第２のカール径が前記第１のカール径の４０％〜７０％であることを特徴とする態様１〜６のいずれかに記載のかつらである。
【００１９】
本願発明の態様８は、前記第２領域の幅と前記第１領域の幅との比が、１：１．５〜１：４であることを特徴とする態様１〜７のいずれかに記載のかつらである。
【００２０】
本願発明の態様９は、前記第１領域は、前記第１の毛髪が１平方センチメートルあたり５０本〜９０本植設されていることを特徴とする態様１〜８のいずれかに記載のかつらである。
【００２１】
前記第２領域は、前記第２の毛髪が１平方センチメートルあたり５０本〜９０本植設されていることを特徴とする態様１〜９のいずれか１に記載のかつらである。
【発明の効果】
【００２２】
本発明に係るかつらは、大きいカール径を有する毛髪が複数植設されている領域と、小さいカール径を有する毛髪が複数植設されている領域とが隣接して交互に配置されている。このため、大きいカール径を有する毛髪が倒れるのをより確実に防止することができ、これにより所望のボリューム感を有するかつらをより確実に提供することができる。
【図面の簡単な説明】
【００２３】
【図１】図１は、第１のカール径を有する毛片（毛髪）が植設された領域（１）と第１のカール径よりも小さな第２のカール径を有する毛片（毛髪）が植設された領域（２）とが隣接して交互に配置された交互配置部を示す模式斜視図である。
【図２】図２は、図１のネット状のかつらベース１０の複数の横方向のフィラメント８Ａのうちの１本に植設された毛片１および毛片２の詳細を示す図であり、図２（ａ）は、毛片１が毛片２により支持されていない場合を示し、図２（ｂ）は、毛片１の一部が毛片２により支持されている場合を示す。
【図３】図３は、本願発明に係る、交互配置部を含むかつら１００の上面図である。
【図４】かつら１００と異なる形態のセクションを有するかつら２００の上面図である。
【発明を実施するための形態】
【００２４】
以下、図面に基づいて本発明の実施形態を詳細に説明する。なお、以下の説明では、必要に応じて特定の方向や位置を示す用語（例えば、「上」、「下」、「右」、「左」、「縦」、「横」及びそれらの用語を含む別の用語）を用いるが、それらの用語の使用は図面を参照した発明の理解を容易にするためであって、それらの用語の意味によって本発明の技術的範囲が制限されるものではない。また、複数の図面に表れる同一符号の部分は同一の部分又は部材を示す。
【００２５】
図１は、本願発明に係るかつらに含まれる、第１のカール径を有する毛片（毛髪）が植設された領域（１）と第１のカール径よりも小さな第２のカール径を有する毛片（毛髪）が植設された領域（２）とが隣接して交互に配置された交互配置部を示す模式斜視図である。
【００２６】
図２は、図１のネット状のかつらベース１０の複数の横方向のフィラメント８Ａのうちの１本に植設された毛片１および２の詳細を示す図であり、図２（ａ）は、毛片１が毛片２により支持されていない場合を示し、図２（ｂ）は、毛片１の一部が毛片２により支持されている場合を示す。
図１および図２では、領域（１）および（２）を容易に認識できるように点線で示してある。
【００２７】
なお、図１では、図示する毛片１および２の量が多すぎると、図が煩雑となり、毛片の植設位置およびカールの状態を視認するのが困難となるため、毛片１および２の一部の記載を省略している（かつらベース１０において、その横方向のフィラメント８Ａと縦方向のフィラメント８Ｂとが交わる部分に植設された毛片１および２は記載し、横方向のフィラメント８Ａ上でかつ縦方向のフィラメント８Ｂと交わっていない部分に植設された毛片１および２は記載を省略した）。
【００２８】
領域（１）および（２）は、それぞれかつらベース１０上の毛髪（毛片）が植設された領域である。
領域（１）に複数（多数）植設されている毛片１は、それぞれ、比較的大きなカール径を有している。
そして、１つの領域（１）内に配置された毛片１は同じカール径を有している。
本明細書において、同じカール径とは、工業的に同じカール径という意味である。例えば、同じ領域内に配置された複数の毛片のカール径の算術的な平均値（毛片が２０本以上ある場合は、任意に選んだ２０本の毛片のカール径の平均値を用いてよい）からプラスマイナス１０％以内に概ね全ての毛片のカール径が入ることを意味する。
なお、毛片のカール径は、毛片１をかつらベース１０より切り離した後、平板の上に毛片を載置することにより、毛片が平板上に形成する略円弧状の形状の直径として求めることができる。
【００２９】
毛片１の好ましいカール径は、２０ｍｍ〜８０ｍｍである。毛片１のカール径が、この範囲内にあると十分なボリューム感を得ることができ、かつ毛片２が容易に毛片１を支持できるからである。
【００３０】
領域（２）に複数（多数）植設されている毛片２は、領域（１）の毛片１よりも小さいカール径を有している。そして、１つの領域（２）内に配置された毛片２は同じカール径を有している。
毛片２のカール径は、好ましくは、毛片１のカール径の４０〜７０％であり、より好ましくは５０〜６０％である。毛片２のカール径が、この範囲内にあるとより確実に毛片１を支持できるからである。
毛髪１のカール径と毛髪２のカール径との比率は、毛片１と毛片２のそれぞれの平均値（例えば、それぞれ任意に選択した２０本（同一の領域（１）および（２）内の毛片の数が２０本より少ない場合は全て）をかつらベース１０から切取り測定して得た平均値）を比べることにより求めることができる。
【００３１】
そして、領域（１）と領域（２）とは互いに隣接して交互に配置され、交互配置部を形成する。ここで、交互に配置するとは、図１に示されるように、互いに隣接する領域（１）と領域（２）のうち、少なくとも一方が、２つ以上配置されていることをいう。
【００３２】
本願発明者は、交互配置部を設けることで、かつらベースに植設された毛髪のボリューム感を増加させることができることを見出した。
これは、以下の理由によるものであると推定される。
カール径の大きい毛片１は、そのカール径に応じて、基端（かつらベース１０）から、垂直に近い角度で立ち上がり、先端に向けて徐々に外側（側方、図１および図２では左方向）に広がっていく。
このため、毛片１は、基端から（かつらベース）より高い位置まで達することができ、より優れたボリューム感を奏することができる。
【００３３】
しかし、カール径の大きい毛片は、カール径の小さい同じ長さの毛片と比べると、風等の外力で倒れ易いという欠点がある。そして、毛片が倒れてしまうと、かつらベース（基端）から高い位置まで毛片を供給できないことから、十分なボリューム感を奏することが困難となる。
【００３４】
一方、毛片２は、カール径が小さいために基端（かつらベース１０）から立ち上がった後、毛片１のように高い位置に達することなく、先端に向けて外側（側方、図１および図２では左方向）に広がっていく。このため、毛片１よりボリューム感向上への寄与は小さい。
しかし、外力を受けても倒れにくいという利点を有している。
【００３５】
そして、毛片１が複数植設された領域（１）と毛片２が複数植設された領域（２）とを交互に配置することで、毛片１が外力等により傾いてもカール径の小さい毛片２が毛片１を支持することにより、毛片１が倒れてしまうのを防止し、この結果、十分なボリューム感を確保できる。
【００３６】
この毛片２による毛片１の支持について、図２を用いて、模式的に示す。
図２（a）は、毛片１および毛片２に外力が作用していない状態を示す。毛片１および毛片２とも倒れることなく、従って、毛片２は毛片１を支持していない。
【００３７】
図２（ｂ）では、毛片１および２に外力（毛片を図の左方向倒そうとする力）が作用している。
カール径の小さい毛片２は、外力の影響をほとんど受けておらず、特に傾くようなことはない。一方、カール径の大きい毛片１は、外力により容易に傾く。図２（ｂ）では、毛片１のうち毛片１Ａと毛片２Ａが外力により左方向に傾いている。
しかし、毛片２が毛片１と接触し（特に基端に近い部分に接触し）、毛片２が毛片１Ａおよび毛片１Ｂを支持することで、毛片１Ａおよび毛片１Ｂは、それ以上傾かず、従って、毛片１Ａおよび１Ｂがボリューム感の向上に十分寄与することがわかる。例えば、図２（ｂ）に示す例では、毛片１Ａおよび１Ｂは、傾いているにもかかわらず、その先端は、毛片２の先端よりも高い位置にあるためボリューム感の向上に寄与している。
なお、毛片１（図２（ｂ）の毛片１Ａおよび１Ｂに相当するものも含む）が傾いていない状態を示す図２（ａ）においては、当然ながら、毛片１の先端は毛片２の先端よりも高い位置にあり、従って、ボリューム感の向上に寄与している。
【００３８】
上述したように従来からカール径の異なる毛髪を混合して植設したかつらは知られていたが、十分なボリューム感が得られない場合があった。
これは、２種類のカール径を有する毛髪がランダムに混合した状態であり、基本的には、１本のカール径の大きい毛片を１本のカール径の小さい毛片が支持することになるため、大きいカール径を有する毛片が、小さいカール径を有する毛片の位置する方向と少しでも異なる方向に傾くと、小さいカール径を有する毛片が大きいカール径を有する毛片を支持できなこと、および傾いた大きいカール径を有する毛片を支えるのが小さいカールを有する毛片１本だけであるため、十分に支持できず、大きいカール径を有する毛片が倒れしまうためと考えられる。
【００３９】
これに対して、本願発明では、例えば図１において、右側に位置する領域（１）の毛髪であれば、左方向に傾く場合、フィラメント８Ａと平行な方向だけでなく、この方向からずれた方向に傾いても、図１に示すように領域（２）にはフィラメント８Ｂに平行な方向にも複数の毛片２が植設されていることから、帯状の領域（２）内のいずれかの部位に向いた方向に傾く限りは、確実に領域（２）の毛片２により毛片１を支持することができる。
さらに、傾いた毛片１を領域（２）内の複数の毛片２で支持できるため、より確実に毛片１が倒れてしまうのを防止できる。
【００４０】
なお、上述した図１の右側の領域（１）の右側に更に領域（２）が配置されている場合（すなわち、領域（１）の両側に領域（２）が配置されている場合）には、当該領域（１）の毛片１は、左右方向どちらに傾いても領域（２）により支持され、倒れてしまうことが防止される。
【００４１】
なお、以上のメカニズムは、領域（１）および（２）を交互に配置した交互配置部を設けることで、毛髪のボリューム感を向上させることを見出した本願発明者らが、得られた知見から類推したメカニズムであって、本願発明の技術的範囲を制限することを意図するものではない。
【００４２】
次に、交互配置部を構成する各要素の詳細を以下に示す。
領域（１）および領域（２）が形成されるかつらベース１０は、ウレタン等の合成樹脂製から成る人工皮膚もしくは合成繊維等の繊維を網目状に編んで形成したネットより形成したネット状かつらベース、または人工皮膚とネットとを組み合わせて形成したかつらベースを含む、かつらに用いられている各種のかつらベースを用いてよい。
【００４３】
図１に示す例では、横方向に延在するフィラメント８Ａと縦方向に延在するフィラメント８Ｂとが直交するように配置された、網目が四角形であるネット状かつらベースが用いられているが、例えば六角形の網目構造を有する等既知の各種のネット形状を用いてよい。
【００４４】
次に、かつらベース１０に設ける領域（１）および（２）について説明する。
上述のように、本願発明にかかるかつらは、領域（１）と領域（２）が互いに隣接して交互に配置された交互配置部を有している。本願発明に係るかつらは、交互配置部を少なくとも１つ含んでおり、好ましくは複数の交互配置部を含んでいる。
複数の交互配置部を含むことでそれぞれの部分で毛髪の所望のボリューム感を得ることができるからである。
【００４５】
領域（１）および領域（２）は、好ましくは幅が３ｍｍ以上であり１５ｍｍ以下である。幅が３ｍｍ以上だと領域（２）は、より確実に領域（１）の毛片１を支持でき、領域（１）はより確実にボリューム感を奏することができるからである。また、幅が１５ｍｍ以下だと、かつらを目視した際に、毛材１と毛材２が分離して識別され難くなり、第３者にかつらを装着していることを認識される可能性を低くできるからである。
なお、ここでいう幅とは、領域（１）と（２）が交互に配置されている方向におけるそれぞれの領域の長さを意味する。
【００４６】
毛髪（１）および毛髪（２）は、それぞれ、ポリアミド樹脂等の合成樹脂等から成る人工毛髪であってもよいし、または人毛等の天然毛髪であってもよい。
【００４７】
図１および図２で示す例では、１本の毛材を用い、当該毛材の略中央で２つ折りして、略中央部をかつらベース１０のネットを構成するフィラメントに巻回して結着している（図では結着している部分の詳細は記載を省略）。これにより１本の毛材から、その一端側と他端側の２本の毛片１または毛材２を得ている。
【００４８】
しかし、これに限定されるものではなく、１本の毛片の一端をかつらベースに固定し、他端を自由端とすることで、１つの毛片１または毛片２を得てもよい。
【００４９】
領域（１）において、好ましくは、毛片１は１平方センチメートルあたり５０本から９０本植設されている。すなわち、図１に示すように１本の毛材を２つ折りして植設し、２本の毛片１を得ている場合には、１平方センチメートルあたり２５本〜４５本の毛材が植設されている。
この範囲の密度で毛片１が植設されていると、見た目が自然でかつボリューム感を得ることができるからである。
【００５０】
領域（２）において、好ましくは、毛片２は１平方センチメートルあたり５０本から９０本植設されている。すなわち、図１に示すように１本の毛材を２つ折りして植設し、２本の毛片２を得ている場合には、１平方センチメートルあたり２５本から４５本の毛材が植設されている。
この範囲の密度で毛片２が植設されていると、見た目が自然でかつ確実に毛片１を支持できるからである。
【００５１】
毛片１および毛片２は、結着および接着を含む、かつらベースに毛髪を固定する形態をとして知られた各種の形態により、かつらベース１０に植設されてよい。
【００５２】
図１に示す実施形態では、毛片１および毛片２は、横方向のフィラメント８Ａまたは縦方向のフィラメント８Ｂに沿って整列して植設されているが、これ以外にも、例えば千鳥配置となるように植設する、規則的な配置をベースに意図的にいくつかの箇所に植設しないことで規則性を乱して、より自然にみせる、またはランダムに植設する等の各種の配置で植設してよい。
【００５３】
領域（１）に植設される毛片１と領域（２）に植設される毛片２とは、同じ材料より成ってもよく、または異なる材料より成ってもよい。
領域（１）に植設される毛片１と領域（２）に植設される毛片２とは、同じ太さを有してもよく、または異なる太さを有してもよい。
【００５４】
領域（１）に植設される毛片１と領域（２）に植設される毛片２とは、同じ長さを有してもよく、または異なる長さを有してもよい。
毛髪１と毛髪２が同じ材料より成り同じ長さを有する場合、同一の毛材（または毛片）を用いて、付与するカール径を変えるだけで、毛材１と毛材２を準備できるため、高い生産性で本願に係るかつらを得ることができる。
一方、毛髪１と毛髪２の長さを、異ならせて、それぞれに適した長さとすることで、より自然なシルエットが得られ、かつらを装着していることを第３者が認識する可能性をより低くすることができる
【００５５】
１つの領域（１）に植設される複数の毛片１の先端は、かつらのなかで配置される場所に応じて、同じ方向を向いてもよく、また違った方向を向いてもよい。
同様に、同一の領域（２）に植設される複数の毛片２の先端は、かつらのなかで配置される場所に応じて、同じ方向を向いてもよく、また違って方向を向いてもよい。
【００５６】
図３は、本願発明に係る、交互配置部を含むかつら１００の上面図である。
図３では、図１および図２と同様に、領域（１）および（２）をより明確に認識できるように点線で示した。
【００５７】
本願発明に係るかつらは好ましくは、複数のセクションに区分けされ、それぞれのセクションが交互配置部を有している。
人間の頭に生育している毛髪は太さ、本数（密度）及びうねり度合いが全て同じことはあり得ず、それらは頭部の位置により異なる。セクションは、このような人間の頭部を模してより自然なかつらに仕上げることを目的に設けられる。そして、セクションは、毛髪の毛先の流れる方向、毛髪の密度、カール径、毛髪の長さおよび毛髪の色の少なくとも１つが異なる区画を表している。
図３に各セクションの境界を実線で示した。かつら１００は、前頭部１１、後頭部１３、天頂部１２、左側頭部１４および右側頭部１５の５つのセクションを有する。
そして、それぞれのセクションが領域（１）と領域（２）とが互いに隣接して交互に配置されている交互配置部を有する。
それぞれの領域（１）には毛片１が植設され、それぞれの領域（２）には、毛片２が植設されているが、図３では、領域（１）、（２）の配置およびセクションの配置が容易に認識できるように、毛片（毛髪）１および毛片（毛髪）２の記載を省略してある。
【００５８】
それぞれのセクション毎に、用いる毛片１および毛片２の長さ、色、カール径、植設密度および太さのいずれか１つ以上を変えてよい。セクション毎にこれらを変更できることで、かつら装着者の要望によりきめ細かく対応することができる。
【００５９】
セクションによりカール径を変更する場合について詳述する。
複数のセクションを有する場合、それぞれのセクション毎に領域（１）の毛片１のカール径が違っていてもよく、またいくつかのセクションの毛片１は同じカール径を有し、それ以外のセクションの毛片１は異なるカール径を有してよい。
同様に、領域（２）の毛片２についても、同じセクションの領域（１）の毛片２よりも小さいカール径を有する限りは、セクション毎に領域（２）の毛片２のカール径が違っていてもよく、またいくつかのセクションの毛片２は同じカール径を有し、それ以外のセクションの毛片２は異なるカール径を有してよい。
【００６０】
例えば、図３に示すかつら１００を例に取ると、前頭部１１、後頭部１３、天頂部１２、左側頭部１４および右側頭部１５は、それぞれの領域（１）の毛片１のカール径が互いに異なり、これと併せてまたはこれに代えて、それぞれの領域（２）の毛片２のカール径が互いに異なってもよい。
また、左側頭部１４および右側頭部１５の領域（１）の毛片１は、同じカール径を有し、これ以外の、前頭部１１、後頭部１３および天頂部１２の領域（１）の毛片１は、他のセクションの毛片１と異なるカール径を有する等、いくつかのセクションの毛片１は他のセクションの毛片１と同じカール径を有してよい。
同様に、左側頭部１４および右側頭部１５の領域（２）の毛片２は、同じカール径を有し、これ以外の、前頭部１１、後頭部１３および天頂部１２の領域（２）の毛片２は、他のセクションの毛片２と異なるカール径を有する等、いくつかのセクションの毛片２は他のセクションの毛片２と同じカール径を有してよい。
【００６１】
好ましくは、本願発明に係るかつらは、かつらベースの外周に沿って、領域（１）が設けられる。すなわち、かつら１００では、図３に示すように、かつらベース１０の外周に沿って設けられた内周線５と外周との間が領域（１）となっている。
このようにかつら１００の外周部に、大きなカール径を有する毛片１を植設することで、かつらを装着していることを第３者が認識する可能性を低下することができる。
とりわけ、かつら装着者の自毛が残っている頭にかつらを装着する場合、カール径の大きい毛材１と自毛とは容易になじみ（容易に両者が混ざり合い）、この結果、かつらを装着していることを第３者が認識する可能性を顕著に低下することができる。
【００６２】
領域（１）と領域（２）の幅については、例えばセクション毎に決定してよいが、好ましくは領域（２）の幅を１としたとき、領域（１）の幅を１．５〜４とすることが好ましい。大きいカール径を有し、ボリューム感をより増加させる毛片１が植設された領域（１）をより多くするとともに、毛片１を支持するのに十分な量の毛片２を提供できるからである。
そして、より好ましくは領域（２）の幅を１としたとき、領域（１）の幅は概ね２である。
【００６３】
例えば、図３に示す天頂部１２では、幅１０ｍｍの領域（１）と幅５ｍｍの領域（２）とが、かつらベース１０の前頭方向からかつらベースの中心Ｃ１を通り後頭部方向に向けて、互いに隣接して交互に配置されている。
【００６４】
また、後頭部１３、左側頭部１４および右側頭部１５では、かつらベース１０の外周からかつらベース１０の中心Ｃ１に向かって、かつらベース１０の外周に沿って設けた幅５ｍｍの領域（１）があり、更に中心から上方向および下方向に向けて幅が減少する（最大部分で幅約５ｍｍ）領域（１）を有し（すなわち、２つの領域（１）を併せて幅が５〜１０ｍｍの領域（１）を形成している）、その後に、幅５ｍｍの領域（２）と幅１０ｍｍの領域（１）が交互に配置されている。
【００６５】
なお、図３では、セクション１１〜１５内における領域（２）と領域（１）との交互配置について、図面のスペースの制約から、各セクションが有する領域（１）と領域（２）とが交互に配置されている形態が判る最小限の数の領域（１）と領域（２）しか示していない。
従って、各セクションにおいて、実際には、図３に示すよりも多くの数の領域（２）と領域（１）を有し、これらが交互に配置されてよいことに留意すべきである。
【００６６】
前頭部１１では、かつらベース１０の外周からかつらベース１０の中心Ｃ１に向かって、かつらベース１０の外周に沿って設けた幅５ｍｍの領域（１）があり、更に幅が広くなった部分を３箇所有する複雑な形状の領域（１）（最大部分で幅約５ｍｍ）を有し（すなわち、２つの領域（１）を併せて幅が５〜１０ｍｍの領域（１）を形成している）、その後に、幅５ｍｍの領域（２）と幅１０ｍｍの領域（１）が交互に配置されている。
【００６７】
すなわち、セクション１１〜１５は、いずれも上述した好ましい領域（２）と領域（１）の幅の比１：１．５〜１：４およびより好ましい幅の比１：２を満足している。
【００６８】
図４は、かつら１００と異なる形態のセクションを有するかつら２００の上面図である。図３と同様に図４でもセクションの境界を実戦で示す。
かつら２００は、かつら１００と異なり、境界が曲線となっている５つセクション、前額部２１、後頭部２２、側周部２３、頭頂部２４および前頭部２５を有する。
このようなセクションの配置は、図３に示す５つのセクションと異なり、人間の頭の形状に即した区分であり、植設した毛髪の毛分かれや、一見してかつらと判るような不自然な外観となることをより確実回避できること、より細かい毛髪の本数（密度）、長さ、色、カールの指示が可能になり、より満足度が高いかつらを得ることができる。
【００６９】
セクション２１〜２５は、それぞれ領域（１）と領域（２）が互いに隣接して配置された、交互配置部を有している。
セクション２１〜２５内での領域（１）および領域（２）の配置は、それぞれのセクションの形状等に応じて任意に決定してよい。
または、図４に示すようにかつら１００と同じ配置をそのまま用いてもよい。
【００７０】
この場合、図４において点線で囲まれて示される１つの領域（１）および領域（２）の中には、２つ以上のセクションに跨っているものがある。
複数のセクションに跨って配置されている領域（１）では、その毛片１は、それぞれのセクション毎に決められたカール径、長さ、色、植設密度および太さ等を有する。従って、これらの特性がセクションによって異なれば、点線で囲まれた１つの領域（１）の中に、セクションに応じて異なる毛髪１が植設されることとなる。
同様に、複数のセクションに跨って配置されている領域（２）では、その毛片１は、それぞれのセクション毎に決められたカール径、長さ、色、植設密度および太さ等を有する。従って、これらの特性がセクションによって異なれば、点線で囲まれた１つの領域（２）の中に、セクションに応じて異なる毛髪２が植設されることとなる。
すなわち、点線で囲まれた１つの領域（１）は、実質的には、セクションの境界線により区切られた複数の領域（１）となり、同様に点線で囲まれた１つの領域（２）は、実質的には、セクションの境界線により区切られた複数の領域（２）となる。
【００７１】
次にかつら１００および２００の製造方法を説明する。
以下に示す製造方法は、例であり、製造方法を限定することを意図したものではないことに留意されたい。
【００７２】
先ず、かつらベース１０を次の手順で作製する。
かつらベースがネット地を素材とするネット状かつらベースである場合、かつら装着者の頭部形状雄型の石膏の上に所望のネットを配置および固定して、その上から石膏の形状に容易に対応するとともに保持性を良好にするためにウレタン等の樹脂を有機溶剤で溶解した樹脂溶液を塗布した後乾燥させて、石膏から樹脂を外すことで、装着者の頭部形状に対応したかつらベースを得る。
【００７３】
かつらベースが合成樹脂製のシート材を素材とする、所謂人工皮膚の場合、有機溶剤で溶解した樹脂溶液を塗布して乾燥後にかつら装着者の頭部形状雄型の石膏から樹脂を外して装着者の頭部形状に対応したかつらベースを得る。またはシート状の合成樹脂をかつら装着者の頭部形状雄型の石膏の上から被せて固定し、その後、加熱して樹脂を石膏の形状に対応するよう変形した後に、石膏から樹脂を外してかつら装着者の頭部形状に対応した、かつらベースを得る。
この時に使用される樹脂としては、柔軟性を有するポリウレタンやシリコーンなどの熱可塑性エラストマーが好ましい。
【００７４】
次に毛片１および毛片２に用いる毛片または毛材（２つ折りして２本の毛片を得るために用いる毛髪であり、２つ折りする前の状態）を用意する。
用いる毛片（または毛材）としては、ポリアミド樹脂等から成る人工毛髪等の既知の人工毛髪もしくは人毛等の天然毛髪またはこれらの両方を用いてよい。
【００７５】
これらの毛片または毛髪は、それぞれ毛片１および毛片２（かつらがセクションを有する場合にはそれぞれのセクションの毛片１および毛片２）として適切な、材質、太さ、長さ、色等の特性を有している。
なお、毛片１および毛片２のカール径については、かつらベース１０に毛片１および毛片２を植設した後にドライヤー等で加熱してカール付けをすることで所望の値としてよい。
しかし、好ましくは、例えば、かつらベース１０に植設する前に毛片または毛材を所定の直径を有するパイプに巻き付けた後、加熱保持する等により、予め所定のカール径を付与することが好ましい。
植設後に、第１のカール径および第２のカール径のような領域毎に異なるカール径となるようにカール付けするよりも生産性に優れるからである。
【００７６】
次に、用意した毛片（または毛材）をかつらベース１０に植設する。
かつらベース１０には、予め、セクション（設ける場合）および領域（１）と領域（２）と成る部分をそれぞれ、識別できるようにしておき、適切な毛片（毛材）を植設する。
【００７７】
例えば、図１に示すように、かつらベース１０がネットであり、毛片１および毛片２が毛材を概ね中央部から二つ折りして得ている場合、鉤針を用いて、二つ折りした毛材の折り返し部を、ネットを構成するフィラメント（例えば横方向フィラメント８Ａおよび／または縦方向のフィラメント８Ｂ）に結びつけることにより毛材１および毛材２を植設することができる。
フィラメントに毛材を結着する方法は、例えば特開２００７−９２２０２号公報に開示されている方法を含む、かつらの製造に用いられる既知の方法を用いてよい。
【００７８】
かつらベースが人工皮膚より成る場合、かつらベースに鉤針を挿通し、鉤針の先端の鉤部に２つ折にした毛材のループ部（折り返し部）を引っ掛け、鉤針を旋回してループとの係合が解けない状態で、先端鉤部を毛材の解放端部側に引っ掛けてループ中から抜き出す等の既知の方法を用いてかつらベースに毛材を結び付ける。
【００７９】
かつらベースに毛片または毛材を植設する方法は、これに限定されるものではなく、結着および接着を含む、かつら製造に用いられる既知の任意の方法を用いてよい。
【００８０】
なお、領域（１）または領域（２）の幅が広い場合は、１つ領域の幅方向を２つ以上の小領域に区分して、１つの小領域内に全ての毛片１または毛片２を植設した後、次の小領域に毛片１または毛片２を植設してもよい。
すなわち、例えば、図３に示すかつら１００において、セクション１１、セクション１２、及びセクション１３では、幅が１ｃｍの領域（１）に毛髪１を植設する場合、例えば幅５ｍｍの２つの小領域に区分けし、１つの小領域に必要な毛片１を全て植設した後、もう１つの小領域に毛片１を植設してよい。
【００８１】
植設は、多くの場合、上述のように鉤針を用いて人手により行われることが多く、同じ毛片（または毛材）を植設する１つの領域であっても、幅が広い場合（例えば、幅が５ｍｍ程度以上の場合）、小領域に小分けした方が、仕上がりがより綺麗（自然）になるからである。
【００８２】
上述のように、植設された毛材または毛片が予め所定のカール径を有する場合は、以上の工程により本願発明に係るかつらを得ることができる。
【００８３】
一方、予め毛片（または毛材）にカール付けを行っていない場合は、更に、ドライヤー、アイロン等を用いて領域（１）および領域（２）毎に、毛片が所望のカール径を有するように、カール付けを行うことで本願発明に係るかつらを得ることができる。
【符号の説明】
【００８４】
１  毛片
２  毛片
５  内周線
８Ａ  横方向のフィラメント
８Ａ  縦方向のフィラメント
１０  かつらベース
１１  前頭部
１２  天頂部
１３  後頭部
１４  左側頭部
１５  右側頭部
１００、２００  かつら
【図１】
0005858679.tif 000002
【図２】
0005858679.tif 000003
【図３】
0005858679.tif 000004
【図４】
0005858679.tif 000005